(57)【特許請求の範囲】
【請求項１】
ディスクを収容するケース本体と、このケース本体の一側に連設されて折り畳むことによって、前記ケース本体を覆うケース蓋とからなるディスクケースにおいて、
前記ケース本体におけるディスクを収容する部分の外端部近傍箇所に平面視略半円形の隆起部を設け、この隆起部に前記ディスクの円弧形状の一方側縁部を嵌め込むために食い込んだ形状の円弧溝を形成してあると共に、この円弧溝は、前記ケース本体の表面より若干上方に離れた位置に設けられて前記ディスクを若干浮いた状態で保持するように構成され、
前記ケース蓋に、前記ケース本体を覆ったときに、前記円弧溝に円弧形状の一方側縁部が嵌め込まれた前記ディスクの円弧形状の他方側縁部を抜け出ないように係止する係止ボス部を設け、この係止ボス部の先端面が、前記ディスクの他方側縁部を抜け出ないように押さえて中心向きに押すように、ケース蓋を被せた状態で内側から外側に向けて下向きのテーパ面に形成されていることを特徴とするディスクケース。
【請求項２】
前記ケース本体に設けられる前記平面視略半円形の隆起部の両端部が、若干中心向きに付勢された状態で湾曲形成されていることを特徴とする請求項１に記載のディスクケース。
【発明の詳細な説明】
【０００１】
【発明の属する技術分野】
本発明は、ディスクを収容するためのディスクケースに関する。
【０００２】
【従来の技術】
従来のこの種のディスクケースは、図５（ａ）（ｂ）に示すように、ディスクをディスクケース１０１に収容するときに、このディスクを支える手段として、ケース本体１０２の中央部に凸部１０３、１０４を設けて、ディスクの中心穴ををこの凸部１０３、１０４に嵌め込んで取付固定した後、このディスクを取り外すときに、この凸部１０３、１０４を押すことによってディスクを取り外すようにしていた。
ところが、これにおいては、凸部１０３、１０４を強く押しすぎるとディスクの内周部にひびが入り、場合によってはディスクの情報が記憶されているデータ部がリードすることもできなくなり、再生することができないディスクになってしまう虞があるという問題があった。
【０００３】
特に、図５（ａ）に示すディスクケースにおいては、ディスクの固定部の破損が多くて、ディスクの再生面に傷を付けることが多いという問題があった。
また、特開２０００−１２８２６６号公報には、箱形ディスクケースが記載されている。
これは、図６に示すように、外側ケースＡには、内面上部から斜め後ろ向きに突き出る係止片を設け、内側ケースＢには、ディスク２１８を載置する受け部２１７の後部左右からディスク２１８の後部に被さる保持片を設け、内側ケースＢを一定量引き出した時に係止片と保持片の係合によって引き出しが係止されるようにすると共に、内側ケースＢの受け部２１７の前部に、ディスク２１８の前部に被さる押え片２２２を設けて、ディスク２１８のずれを押えるようにしたものである。
ところが、これにおいては、押さ片２２２でディスク２１８を押さえるだけであり、しかもディスク２１８の読み取り面が押さ片２２２に当たるので、読み取り面に傷が付きやすいという問題があった。
【０００４】
また、特開平１１−７０９９０号公報には、コンパクトディスク収納具が記載されている。
これは、図７（ａ）（ｂ）、図８、図９、図１０に示すように、周囲に周枠部３０２、３０２を形成するとともに内側に適当深さの凹み部３０３を形成した左右の両蓋板材３０１、３０１の中間部に、中間板材３０７をはさんで収納板材３１１、３１１をそれぞれの基端部を両蓋板材３０１、３０１の基端部に枢着して設け、収納板材３１１、３１１及び中間板材３０７の各表裏両面部にＣＤを収納し、中間板材３０７及び収納板材３１１、３１１の表裏両面部の各収納部３１４に収納したＣＤの中心孔の中心がそれぞれ互に齟齬して位置するとともに中間板材３０７及び収納板材３１１、３１１の収納部３１４の中心孔３１３の中心からも齟齬して位置するようにしたものである。
ところが、これにおいては、ＣＤを取り外すときに、ＣＤが凸爪３２０に引っ掛かりやすいという問題があり、ＣＤと凸爪３２０との間に余裕をもたした構造にすると、ＣＤが内部でぐらつきやすいという問題があった。
【０００５】
また、特開平１−１９９８８２号公報には、ディスク収容装置が記載されている。
これは、図１１（ａ）（ｂ）、図１２（ａ）（ｂ）に示すように、ディスク状の記録媒体４０５を収容するケーシングと、ケーシング内に配設され、かつ端面に溝様の支持部４０３ａを有する支持手段４０３とを具備し、記録媒体４０５がケーシング内壁面に対して非接触状態となるよう、支持手段４０３の支持部４０３ａが記録媒体４０５の周縁部分を側方から支持したものである。
ところが、これにおいては、支持手段４０３の支持部４０３ａの内部に中心側に付勢するためのバネ等を必要とし、部品点数が多くて構造が複雑になるという問題があった。
【０００６】
また、実用新案登録番号第２５６１４９４号公報には、ディスク収納ケースが記載されている。
これは、図１３、図１４（ａ）（ｂ）に示すように、ディスク収納空間を形成するケース本体５１０に対してスライド及び着脱可能に蓋体５２０が設けられており、ケース本体５１０は、底面部５３０の４辺から起立した左側壁５１１Ｌ、右側壁５１１Ｒ、前方側壁５１１Ｆ及び背面側壁５１１Ｂと、左側壁５１１Ｌ及び右側壁５１１Ｒのそれぞれに装着・離脱方向に関し複数対設けられたガイド溝５１２と、ガイド溝５１２から上方に開口した逃げ溝５１３と、前方側壁５１１Ｆの中央部に形成された切欠き５１７と、背面側壁５１１Ｂの中央近傍に設けられ、収納されたディスクＤの外周縁部Ｄ２を底面部５３０との間に挟み込む庇部５４２を有する押え片５４１と、押え片５４１の近傍に設けられ、ディスクＤを離脱方向に付勢する弾性片５４３と、底面部５３０の中央近傍に設けられ、ディスクＤの内周縁部Ｄ３を底面部５３０との間に挟み込む拘束部５３４を有する隆起部５３３とを備え、蓋体５２０は、逃げ溝５１３を経てガイド溝５１２に挿入されるガイド突起５２５が装着・離脱方向に関し複数設けられた左側壁５１１Ｌ及び右側壁５１１Ｒと、切欠き５１７から外方に突出したディスクＤの周縁一部Ｄ１をケース本体５１０の内部に押し込む前方側壁５１１Ｆとを備えているものである。
ところが、これにおいては、隆起部５３３の拘束部５３４によって、ディスクＤを取り外すときに、ＣＤの中心部分に傷が付きやすいという問題があった。
【０００７】
【発明が解決しようとする課題】
本発明は、上記従来の問題を解消し、ディスクケースの破損を防ぐことができ、ディスクの中心側と再生面に傷が付くことを防ぐことができ、しかも構造が簡単であるディスクケースを提供することを目的としている。
【０００８】
【課題を解決するための手段】
本発明は、上記課題を解決するために提案されたものであって、請求項１に記載の発明は、ディスクを収容するケース本体と、このケース本体の一側に連設されて折り畳むことによって、前記ケース本体を覆うケース蓋とからなるディスクケースにおいて、前記ケース本体におけるディスクを収容する部分の外端部近傍箇所に平面視略半円形の隆起部を設け、この隆起部に前記ディスクの円弧形状の一方側縁部を嵌め込むために食い込んだ形状の円弧溝を形成してあると共に、この円弧溝は、前記ケース本体の表面より若干上方に離れた位置に設けられて前記ディスクを若干浮いた状態で保持するように構成され、前記ケース蓋に、前記ケース本体を覆ったときに、前記円弧溝に円弧形状の一方側縁部が嵌め込まれた前記ディスクの円弧形状の他方側縁部を抜け出ないように係止する係止ボス部を設け、この係止ボス部の先端面が、前記ディスクの他方側縁部を抜け出ないように押さえて中心向きに押すように、ケース蓋を被せた状態で内側から外側に向けて下向きのテーパ面に形成されている。
【０００９】
請求項２に記載の発明は、前記ケース本体に設けられる前記平面視略半円形の隆起部の両端部が、若干中心向きに付勢された状態で湾曲形成されている。
【００１０】
【発明の実施の形態】
以下、本発明に係るディスクケースの実施の形態について、図を参照しつつ説明する。
図１は本発明の実施形態のディスクケースのケース蓋を開いた状態の平面図、図２はディスクの周縁を嵌め込むための要部の部分斜視図、図３はディスクケースのケース蓋に設けられた係止ボス部のテーパ面でディスクを押さえた状態を示す部分拡大断面図である。
【００１１】
本実施形態のディスクケースは、図１に示すように、ディスクＤを収容するケース本体１と、このケース本体１の一側に連設されて折り畳むことによって、ケース本体１を覆うケース蓋２とから構成されていて、ケース本体１におけるディスクＤを収容する部分の外端部近傍箇所に平面視略半円形の隆起部３が設けられ、この隆起部３にディスクＤの円弧形状の一方側縁部ｄ１を嵌め込むために食い込んだ形状の円弧溝４（図２参照）が形成されている。
一方、ケース蓋２には、ケース本体１を覆ったときにディスクＤの円弧形状の他方側縁部ｄ２を抜け出ないように係止する係止ボス部５が設けられている。
【００１２】
更に、ケース蓋２に設けられた係止ボス部５の先端面は、図３に示すように、ディスクＤを抜け出ないように押さえて中心向きに押すように、ケース蓋２を被せた状態で内側から外側に向けて下向きのテーパ面５ａに形成されている。
また、ケース本体１に設けられた隆起部３に形成された円弧溝４は、図２に示すように、ケース本体１の表面より若干上方に離れた位置に設けられ、ディスクＤを若干浮いた状態で保持するように構成されている。
そして、ディスクＤをケース本体１の隆起部３の円弧溝４に、その一方側縁部ｄ１を嵌め込んだ後に、ケース蓋２でケース本体１を覆い、その係止ボス部５でディスクＤの他方側縁部ｄ２を係止して、ディスクＤをディスクケース内に固定した状態で収容する。
【００１３】
したがって、本実施形態のディスクケースによれば、ディスクケースの破損を防ぐことができ、ディスクＤの中心側と再生面に傷が付くことを防ぐことができる。
しかも構造が簡単であり、合成樹脂の一体成形でディスクケースの全体を簡単に製造することができて、安価に提供することができる。
また、ケース蓋２の係止ボス部５の先端面のテーパ面５ａで、ディスクＤの他方側縁部ｄ２を中心向きに押すように押さえることができるので、ディスクＤを抜け出ないように確実に固定した状態で収容することができる。
また、ディスクＤを若干浮いた状態で保持できるので、ディスクＤの裏面側の記録面に傷が付かない利点がある。
【００１４】
図４は別の実施形態のディスクケースを示し、ケース蓋を開いた状態の平面図である。
この別の実施形態のディスクケースは、図４に示すように、ケース本体１に設けられる平面視略半円形の隆起部３の両端部３ａ、３ｂが、若干中心向きに付勢された状態で湾曲形成されている。
これにより、隆起部３の円弧溝４にディスクＤを嵌め入れたときに、ディスクＤの図にて上下縁がこの隆起部３の両縁部３ａ、３ｂの付勢力で押さえ付けられた状態になり、ディスクＤを強固に保持することができる利点がある。
【００１５】
【発明の効果】
以上説明したように、請求項１に記載の発明によれば、ディスクケースの破損を防ぐことができ、ディスクの中心側と再生面に傷が付くことを防ぐことができる。しかも構造が簡単であり、合成樹脂の一体成形でディスクケースの全体を簡単に製造することができて、安価に提供することができる。
【００１６】
また、ケース蓋に、ケース本体を覆ったときにディスクの円弧形状の他方側縁部を抜け出ないように係止する係止ボス部を設けたので、ディスクを確実に固定保持できて、ディスクが外れたり、ぐらついたりすることを防ぐことができる。さらに、ケース蓋に設けられた係止ボス部の先端面が、ディスクを抜け出ないように押さえて中心向きに押すように、ケース蓋を被せた状態で内側から外側に向けて下向きのテーパ面に形成されているので、ディスクをこのテーパ面で内側に向けて押さえつけることができて、抜け出ないように確実に固定した状態で収容することができる。さらに、ディスクを若干浮いた状態で保持できるから、ディスクの裏面側の記録面に傷が付くことを防ぐことができる。
【００１７】
請求項２に記載の発明は、ケース本体に設けられる平面視略半円形の隆起部の両端部が、若干中心向きに付勢された状態で湾曲形成されているので、隆起部の円弧溝にディスクを嵌め入れたときに、ディスクの図にて上下縁がこの隆起部の両縁部の付勢力で押さえ付けられた状態になり、ディスクを強固に保持することができる。
【図面の簡単な説明】
【図１】本発明の実施形態のディスクケースのケース蓋を開いた状態の平面図である。
【図２】本発明の実施形態のディスクの周縁を嵌め込むための要部の部分斜視図である。
【図３】本発明の実施形態のディスクケースのケース蓋に設けられた係止ボス部のテーパ面でディスクを押さえた状態を示す部分拡大断面図である。
【図４】本発明の別の実施形態のディスクケースを示し、ケース蓋を開いた状態の平面図である。
【図５】従来のディスクケースを示し、（ａ）はその一つの例を示す展開平面図、（ｂ）はその他の例を示す展開平面図である。
【図６】従来の箱型ディスクケースを示す斜視図である。
【図７】従来のコンパクトディスク収納具を示し、（ａ）はその全体の展開状態を示した斜視図、（ｂ）はその部分拡大斜視図である。
【図８】同コンパクトディスク収納具の一部の展開状態を示した斜視図である。
【図９】同コンパクトディスク収納具における図１０に示したＡ−Ａ線の正断面図である。
【図１０】同コンパクトディスク収納具の部分平面図である。
【図１１】従来のディスク収容装置を示し、（ａ）はその斜視図、（ｂ）はその部分斜視図である。
【図１２】同ディスク収容装置を示し、（ａ）はその蓋体を閉めた状態の断面図、（ｂ）はその蓋体を開けた状態の断面図である。
【図１３】従来のディスク収納ケースを示し、その分解斜視図である。
【図１４】同ディスク収納ケースを示し、（ａ）はそのケース本体にディスクを置いた初期状態の断面図、（ｂ）はそのケース本体に蓋体を装着した収納状態の断面図である。
【符号の説明】
Ｄ          ディスク
ｄ１        一方側縁部
ｄ２        他方側縁部
１          ケース本体
２          ケース蓋
３          隆起部
４          円弧溝
５          係止ボス部
５ａ        テーパ面
【図１】
0003601597.tif 000002
【図２】
0003601597.tif 000003
【図３】
0003601597.tif 000004
【図４】
0003601597.tif 000005
【図５】
0003601597.tif 000006
【図６】
0003601597.tif 000007
【図７】
0003601597.tif 000008
【図８】
0003601597.tif 000009
【図９】
0003601597.tif 000010
【図１０】
0003601597.tif 000011
【図１１】
0003601597.tif 000012
【図１２】
0003601597.tif 000013
【図１３】
0003601597.tif 000014
【図１４】
0003601597.tif 000015